(57)【要約】【課題】バーコードハンディターミナルのような携帯端末装置において、同じキーを操作することによって複数の機能を実行させることができるようにする。【解決手段】２個のダブルアクションキー１８，１９のうちの一方のダブルアクションキー１８を半押し又は全押しの状態にして、他のダブルアクションキー１９を半押し又は全押ししたとき、当該他のダブルアクションキー１９の単独の半押し又は全押しに割り当てられた機能とは異なる別の機能が割り当てられるようにする。これにより、例えば一方のダブルアクションキー１８を全押しした状態で、他方のダブルアクションキー１９を半押しすると、まずマーカ用レーザを点灯させて読み取り対象部分に読み取り可能な範囲がマーカ光によって、続いて他方のダブルアクションキー１９を全押しすると、照明用ＬＥＤが点灯して読み取り対象部分を照明し、その反射光をＣＣＤエリアセンサによって撮像するという一連の動作を一つのダブルアクションキー１９の操作の半押し、全押しによって実現できる。【選択図】  図１
2004326545.tif 000002
【特許請求の範囲】
【請求項１】
押し込みストロークの途中までの押し込みである半押しによって第１のスイッチ素子が動作し、更なる押し込みである全押しによって第２のスイッチ素子が動作する複数個のダブルアクションキーを備え、
この複数個のダブルアクションキーのうちの一つが半押し又は全押しの状態にあるとき、他の一つのダブルアクションキーを半押し又は全押ししたとき、当該他の一つのダブルアクションキーの単独の半押し又は全押しに割り当てられた機能とは異なる別の機能が割り当てられるように構成されていることを特徴とする携帯端末装置。
【請求項２】
前記他の一つのダブルアクションキーの半押し及び全押しに割り当てられる機能のうち少なくとも一方は、複数の機能のうちから選択可能であることを特徴とする請求項１記載の携帯端末装置。
【請求項３】
前記他の一つのダブルアクションキーの半押し及び全押しの両方に機能が割り当てられ、半押し及び全押しに夫々割り当てられた機能は、全押しの機能によって実行される動作に対して、半押しの機能によって実行される動作が準備段階の動作に相当することを特徴とする請求項１記載の携帯端末装置。
【請求項４】
前記他の一つのダブルアクションキーの半押し及び全押しに割り当てられる機能は夫々複数の機能のうちから選択可能で、そのうち半押しに割り当てる機能が選択されたとき、全押しに割り当てられる機能は、半押しに割り当てられた機能によって実行される動作を準備段階の動作とした目的の動作に相当する動作を実行する機能であることを特徴とする請求項３記載の携帯端末装置
【請求項５】
前記他の一つのダブルアクションキーの半押し及び全押しの双方に割り当てられた機能は、そのうちの一方を変更可能で、当該一方の機能の変更によって他方の機能に影響を与えないことを特徴とする請求項３又は４記載の携帯端末装置。
【請求項６】
手で保持するための手持部を有し、前記一のダブルアクションキーと他の一のダブルアクションキーとは、前記手持部のうち、異なる指によって操作可能な位置に設けられていることを特徴とする請求項１乃至５のいずれかに記載の携帯端末装置。
【請求項７】
手で保持するための手持部を有し、前記一のダブルアクションキーと他の一のダブルアクションキーは、前記手持部を手で保持したとき、正面となる一面の上方部位に並べて設けられていることを特徴とする請求項１乃至５のいずれかに記載の携帯端末装置。
【請求項８】
手持部はガングリップ型で、前記一のダブルアクションキーと前記他の一つのダブルアクションキーは、このガングリップ型の手持部以外の部位に設けられていることを特徴とする請求項６記載の携帯端末装置。
【請求項９】
手持部はガングリップ型で、ダブルアクションキーの少なくとも一つはこのガングリップ型の手持部に設けられていることを特徴とする請求項６記載の携帯端末装置。
【発明の詳細な説明】
【０００１】
【発明の属する技術分野】
本発明は複数のダブルアクションキーを備えた携帯端末装置に関する。
【０００２】
【従来の技術】
パソコンやＰＯＳ（Ｐｏｉｎｔ  Ｏｆ  Ｓａｌｅ）レジに接続して使用するバーコードハンディターミナルでは、本体を手に持って読取口をバーコードに当てて読み取らせる。この読み取りは、通常、読み取り対象であるバーコード部分を照明するためのＬＥＤを点灯させ、その状態でＣＣＤカメラにバーコードからの反射光を露光（受像）させてデコードさせる。
【０００３】
従来のバーコードハンディターミナルには、バーコードに対して読取口を正しく当てることができるようにマーカ用のレーザにより読み取り可能な範囲を示すことができるような機能が付加されていたりするが、更に最近では、ワープロソフトを搭載して簡単な文章を作成できるようにしたりする等、色々なプログラムソフトを搭載することが考えられている。
【０００４】
【発明が解決しようとする課題】
従来のバーコードハンディターミナルは、本体を手に持った場合、持ち替えずに片手で操作できる位置に存在するキーは、読み取り動作を開始させるためのトリガーキーだけであったため、マーカ用のレーザを点灯させるためのキーを操作するには、ターミナルを持っている手とは別の手でマーカ用のキーを操作したりしなければならなかった。しかしながら、これでは、マーカ用レーザの点灯とバーコードの読み取り開始とを別々のキーの操作によって行わねばならず、操作性に劣るものであった。このような操作性に対する問題は、色々なプログラムソフトを搭載する場合に一層顕著に現れる。
【０００５】
本発明は上記の事情に鑑みてなされたもので、その目的は、同じキーの操作によって複数の機能を実行させることができ、操作性に優れる携帯端末装置を提供することにある。
【０００６】
【課題を解決するための手段】
請求項１の発明は、複数個のダブルアクションキーのうちの一つが半押し又は全押しの状態にあるとき、他の一つのダブルアクションキーを半押し又は全押ししたとき、当該他の一つのダブルアクションキーの単独の半押し又は全押しに割り当てられた機能とは異なる別の機能が割り当てられるので、同じキーを操作することで複数の機能を実行させることが可能となる。なお、ダブルアクションキーとは、押し込みストロークの途中までの押し込みである半押しによって第１のスイッチ素子が動作し、更なる押し込みである全押しによって第２のスイッチ素子が動作するキーを言う。
【０００７】
請求項２の発明では、前記他の一つのダブルアクションキーの半押し及び全押しに割り当てられる機能のうち少なくとも一方の機能は、複数の機能のうちから選択可能であるので、２つのダブルアクションキーの操作に割り当てることができる機能が多くなる。
【０００８】
請求項３の発明は、前記他の一つのダブルアクションキーの半押し及び全押しの両方に機能が割り当てられ、半押し及び全押しに夫々割り当てられた機能は、全押しの機能によって実行される動作に対して、半押しの機能によって実行される動作が準備段階の動作に相当するので、一つのダブルアクションキーを半押しし、続いて全押しすることで準備動作、目的動作を１つのキーの操作で順に円滑に行うことができる。
【０００９】
請求項４の発明では、前記他の一つのダブルアクションキーの半押し及び全押しに割り当てられる機能は夫々複数の機能のうちから選択可能であり、そのうち半押しに割り当てる機能が選択されたとき、全押しに割り当てられる機能は、半押しに割り当てられた機能によって実行される動作を準備段階の動作とした目的の動作を実行する機能であるので、準備段階動作に相当する機能を選択するだけで、目的動作に相当する機能が自動的に選択され、機能の設定がし易くなる。
【００１０】
請求項５の発明では、前記他の一つのダブルアクションキーの半押し及び全押しの双方に割り当てられた機能は、そのうちの一方を変更可能で、当該一方の機能の変更によって他方の機能に影響を与えないので、仮に、半押し及び全押しに夫々割り当てられた機能が準備段階に相当する機能と目的動作に相当する機能とであったとしても、半押し時及び全押し時の機能を夫々任意に変更することができる。
【００１１】
請求項６の発明では、手で保持するための手持部を有し、前記一のダブルアクションキーと他の一のダブルアクションキーとは、前記手持部のうち、異なる指によって操作可能な位置に設けられているので、手を持ち替えたりしなくとも両方のダブルアクションキーを操作できる。
【００１２】
請求項７の発明では、手で保持するための手持部を有し、前記一のダブルアクションキーと他の一のダブルアクションキーは、前記手持部を手で保持したとき、正面となる一面の上方部位に並べて設けられているので、操作し易い。
請求項８の発明では、手持部はガングリップ型で、前記一のダブルアクションキーと前記他の一つのダブルアクションキーは、このガングリップ型手持部以外の部位に設けられているので、ダブルアクションキーを誤って操作することがない。
請求項９の発明では、手持部はガングリップ型で、ダブルアクションキーの少なくとも一つはこのガングリップ型手持部に設けられているので、ダブルアクションキーの操作をし易い。
【００１３】
【発明の実施の形態】
以下、本発明をバーコードハンディターミナルに適用した一実施例につき図１〜図７を参照しながら説明する。
図３は携帯端末装置としてのバーコードハンディターミナル（以下、ＢＨＴと称する。）の電気的構成のブロック図である。本実施例のＢＨＴは一次元コードとしてのバーコードは勿論のこと、ＱＲコードなどの二次元コードも読み取り可能で、同図に示すように、総括制御手段としての制御回路１、撮像手段としてのカメラ部２、画像処理手段としての画像処理回路３、液晶表示器４、ＰＳレジなどの上位機器に接続されてデータを送受信する入出力回路５、キー入力装置６などから構成されている。
【００１４】
制御回路１は、マイクロコンピュータ及びその周辺回路からなるもので、図示はしないがＣＰＵ、ＲＯＭ、ＲＡＭなどを備えている。そして、ＲＯＭには、ＯＳ（Ｏｐｅｒａｔｉｎｇ  Ｓｙｓｔｅｍ）、情報コードとしての一次元コード及び二次元コードのデコードのためのプログラムソフト、ワープロソフト、エクスプローラなどのユーザインターフェースプログラムなどの各種のソフトウエアが記憶されている。
【００１５】
カメラ部２は、撮像手段としてのＣＣＤエリアセンサ７、読取可能領域を２点で示すための２個のマーカ用レーザ８、読取対象部分を照明する照明用ＬＥＤ（発光ダイオード）９、読取対象部分からの反射光をＣＣＤエリアセンサ７上に結像させるレンズ１０などから構成されている。
【００１６】
ＣＣＤエリアセンサ７の受光信号は画像処理装置３に送られる。画像処理装置３は、ＣＣＤエリアセンサ７の受光信号を処理してコード画像として記憶する。そして、制御回路１は、バーコードのデコード手段として機能して画像処理装置３に記憶されたバーコードをデコードし、読み取りデータとして入力回路５からＰＯＳレジなどの上位機器に送信する。
【００１７】
液晶表示器４は、表示手段としての液晶表示画面１１と、この液晶表示画面１１を照明するバックライト（以下、ＬＣＤバックライトと称する。）１２、液晶表示画面１１上に設けられたタッチパネル１３などからなる。なお、ＢＨＴには、タッチパネル１３をタッチ操作するためのタッチペン（図示せず）が付属されている。
【００１８】
キー入力装置６は、複数個のファンクションキー１４、０〜９の数字キー１５、任意に選択した機能を実行するためのキーである第１及び第２のマジックキー（以下、Ｍキー）１６及び１７、第１の及び第２のダブルアクションキー１８及び１９、その他の複数個のキー２０などの各種のキーからなるキー群２１、このキー群２１の各キーから出力されるスイッチ信号を処理して各キー特有の識別信号を制御回路１に与えるスイッチ信号処理回路２２、キー１４〜２０を照明するバックライト（以下、キーバックライトと称する。）２３などから構成されている。
【００１９】
ここで、上記各種のキー１４〜２０は押圧操作によってスイッチ素子を動作させるものであるが、特にダブルアクションキー１８，１９は、押し込みストロークの途中までの押し込みである半押しによって第１のスイッチ素子が動作し、更なる押し込みである全押しによって第２のスイッチ素子が動作するキーを言う。また、本実施例では、第１及び第２のＭキー１６及び１７もダブルアクションキーからなる。なお、このＢＨＴは電源としての電池を搭載している。
【００２０】
図１はＢＨＴの平面図、図２はＢＨＴの外観斜視図である。これら図１及び図２に示すように、ＢＨＴの本体２４は、頭部２５と手持部２６とを上下に一体に連ねて構成され、頭部２５の表面側には前記液晶表示画面１１が設けられている。また、頭部２５の裏面側には、横長の読取口２７が形成されており、マーカ用レーザ８及び照明用ＬＥＤ９はマーカ光及び照明光をこの読取口２７から読取対象部分へと照射し、その反射光もこの読取口２７から本体２４内に入射してＣＣＤエリアセンサ７に受光される。
【００２１】
一方、手持部２６の表面側には、前記各種のキー１４〜２０のうち、第１及び第２のダブルアクションキー１８及び１９を除いたキー１４〜１７，２０が配設されており、第１及び第２のダブルアクションキー１８及び１９は手持部３の左右両側面部の頭部２寄りの上部位に配設されている。これらキー１４〜２０は透明又は半透明で、キーバックライト２３により背部から照明されてその位置及び種類を視認できるようになっている。このキーバックライト２３の点滅は、ＬＣＤバックライト１２と同様に制御回路１によって制御される。
【００２２】
さて、上記各種キー１４〜２０を操作すると、そのキーのスイッチ素子から発せられるスイッチ信号はキー信号処理回路２２に処理されて制御回路１にキー操作信号として送られる。そして、制御回路１は、制御回路１から送られてきたキー操作信号により、どのキーが操作されたかを判別し、そのキーに割り当てられた機能を果たすように動作する。
【００２３】
ここで、第１及び第２のダブルアクションキー１８及び１９の半押しによって動作するスイッチ素子及び全押しによって動作するスイッチ素子からの信号も同様に処理されて第１及び第２のダブルアクションキー１８及び１９の半押しか全押しかが判別できるようになっている。
【００２４】
次に、本発明に係る第１及び第２のダブルアクションキー１８及び１９の半押し及び全押しに割り当てられた機能、その機能の割り当て方法などについて説明する。まず、これら第１及び第２のダブルアクションキー１８及び１９の半押しと全押しとの組み合わせ操作によって、各種の機能を得ることができるようになっている。
【００２５】
この実施例では、第１のダブルアクションキー１８について、その単独の操作には何の機能も割り当てられていない。これは、第１のダブルアクションキー１８の半押し又は全押しに機能を割り当てると、半押し又は全押しした時、第１のダブルアクションキー１８の操作に割り当てられた機能を果たすようにするのか、後で第２のダブルアクションキー１９の半押し又は全押しされたとき、その第２のダブルアクションキー１９の操作と組み合わせて当該第２のダブルアクションキー１９の半押し又は全押しに割り当てられた機能を果たすようにするのか判別できなくなるからである。
【００２６】
これに対し、第２のダブルアクションキー１９の単独での半押し又は全押しに対しては、一定の機能が予め割り当てられており、更に、第１のダブルアクションキー１８を半押し又は全押しにして第２のダブルアクションキー１９を半押し又は全押しすると、当該第２のダブルアクションキー１９の単独での半押し又は全押しに割り当てられた機能とは別の機能を果たすようになっている。
【００２７】
この実施例では、図４（ｃ）に示すように、第２のダブルアクションキー１９の単独での半押しに対しては、レーザマーカ点灯機能が割り当てられ、全押しに対してはバーコードの一種であるＰＯＳコード読み取り機能が割り当てられている。従って、第２のダブルアクションキー１９を単独で半押しすると、制御回路１はそのキー操作信号に応答してマーカ用レーザ８を点灯させ、次に第２のダブルアクションキー１９を単独で全押しすると、制御回路１はそのキー操作信号に応答して照明用ＬＥＤ９を点灯させ、読取対象部分からの反射光をＣＣＤエリアセンサ７に露光させてＰＯＳコードをデコードするようになっている。
【００２８】
一方、第１のダブルアクションキー１８を半押し又は全押し状態を前提にした第２のダブルアクションキー１９の半押し及び全押しに対しては、図４（ａ）及び（ｂ）に示すような機能が割り当てられている。つまり、第１のダブルアクションキー１８の半押し状態で第２のダブルアクションキー１９を半押しすると、マーカ用レーザ８が点灯し、続いて第２のダブルアクションキー１９を全押しすると、照明用ＬＥＤ９が点灯して一次元コードであるＣｏａｄｅ３９を読み取る動作を実行するようになっている。また、第１のダブルアクションキー１８の全押し状態で第２のダブルアクションキー１９を半押しすると、マーカ用レーザ８が点灯し、続いて第２のダブルアクションキー１９を全押しすると、照明用ＬＥＤ９が点灯して二次元コードであるＱＲコードを読み取る動作を実行するようになっている。
【００２９】
コード読み取り作業を行う場合、液晶表示画面１１が上向きの状態で、片方の手の掌を下向きにして手持部２６を上から握り持つ、又は片方の手の掌を上向きにして手持部２６を下から握り持つ。このようにして手持部２６を持つと、親指と人差し指の２本の指で、第１のダブルアクションキー１８と第２のダブルアクションキー１９を操作できる状態となるので、第１のダブルアクションキー１８を操作せず、或は半押し状態で、又は全押し状態で第２のダブルアクションキー１９を半押しし、それから全押しすることで、コード読み取りの準備動作であるマーカ光の照射と目的動作であるコード読み取りとを順に行うことができる。
【００３０】
上述の第１のダブルアクションキー１８の無操作、半押し、全押しの３つの状態で第２のダブルアクションキー１９を半押し又は全押しした場合に割り当てられる機能は、夫々複数の機能からユーザにおいて所望に設定することができる。この機能の割り当ては次のようにして行う。なお、この機能の選択は、機能割り当て手段及び表示制御手段として機能する制御回路１の制御の下で行われる。
【００３１】
機能変更の一例として、まず、第１のダブルアクションキー１８の全押し状態での第２のダブルアクションキー１９の半押し及び全押しに割り当てられる機能を、ＬＣＤバックライト１２とキーバックライト２３の双方の点灯及びＬＣＤバックライト１２だけの点灯に変更する場合に適用して図５を参照しながら説明する。
【００３２】
即ち、ファンクションキー１４のいずれかのキーを操作して液晶表示画面１１に図５（ａ）に示すメニュー画面を表示させる。そして、図示しないタッチペンでメニュー画面から４番目の「ＳＥＴ  ＳＹＳＴＥＭ」を選択する。
すると、図５（ｂ）に示す選択画面が表れるので、３番目の「ＫＥＹ」を選択する。次に図５（ｃ）に示す選択画面が表れるので、第１のダブルアクションキー１８の全押しを示す１番目の「Ｄ１」を選択し、これにより表れた図５（ｄ）の画面で９番目の「Ｆｕｎｃｔｉｏｎ  Ｋｅｙ」を選択する。なお、第１のダブルアクションキー１８の半押しは「Ｄ１Ｈ」で示される。
【００３３】
そして、次の図５（ｅ）の画面で第１のダブルアクションキー１８の全押しと第２のダブルアクションキー１９の半押しを表す２番目の「Ｄ１＋Ｄ２Ｈ」を選択する。すると、図５（ｆ）の画面が表れるので、ＬＣＤバックライト１２とキーバックライト２３を示す５番目の「ＬＣＤ  Ｂａｃｋｌｉｇｈｔ」と６番目の「Ｋｅｙ  Ｂａｃｋｌｉｇｊｈｔ」を選択する。以上により、第１のダブルアクションキー１８の全押し状態で第２のダブルアクションキー１９を半押しすると、ＬＣＤバックライト１２及びキーバックライト２３が点灯する機能が割り当てられるようになる。
【００３４】
この後、上記したと同様にして、第１のダブルアクションキー１８の全押し状態で第２のダブルアクションキー１９を全押ししたとき、ＬＣＤバックライト１２だけが点灯するように機能を割り当てる。なお、第２のダブルアクションキー１９の全押しは「Ｄ２」で示される。
【００３５】
このようにすれば、簡単にバックライトが点灯できるようになっている場合とは異なり、明るい所で不用意に点灯させてしまい、これに気付かずに（明るいとバックライトの点灯に気付き難い。）長時間使用し、電源電池を無駄に消耗させるといった不具合を解消できる。
【００３６】
以上のように第１のダブルアクションキー１８の全押し状態で第２のダブルアクションキー１９を半押ししたとき、両バックライト１２，２３を双方共に点灯させ、全押ししたときＬＣＤバックライト１２だけを点灯させるように機能を割り当てた後、再び、元のように第１のダブルアクションキー１８の全押し状態で第２のダブルアクションキー１９を半押ししたときマーカ用レーザ８が点灯し、第２のダブルアクションキー１９を全押ししたとき照明用ＬＥＤ９が点灯してコード読取を開始するように機能を割り当てる場合には、上述したと同様に図５（ａ）に示すメニュー選択画面を表示させ、４番目の「ＳＥＴ  ＳＹＳＴＥＭ」を選択し、次の図５（ｂ）の画面で３番目の「ＫＥＹ」を選択し、続いて表示される図５（ｃ）の画面で１番目の第１のダブルアクションキー１８の全押しを示す「Ｄ１」を選択する。
【００３７】
すると、図５（ｄ）の画面が表示されるので、この画面で９番目の「Ｆｕｎｃｔｉｏｎ  Ｋｅｙ」を選択する。そして、次の図５（ｅ）で示す画面で第１のダブルアクションキー１８の全押しと第２のダブルアクションキー１９の半押しを示す２番目の「Ｄ１＋Ｄ２Ｈ」を選択し、次の図５（ｆ）の画面で８番目の「Ｌａｓｅｒ  Ｍａｒｋｅｒ」を選択する。
【００３８】
その後、上述したと同様にして第１のダブルアクションキー１８の全押し状態で第２のダブルアクションキー１９の全押ししたとき、照明用ＬＥＤ９が点灯されてコード読み取りが実行されるように設定する。つまり、図５（ｅ）で１番目の「Ｄ１＋Ｄ２Ｈ」を選択し、図５（ｆ）でコード読み取り開始を意味する７番目の「Ｔｒｉｇｇｅｒ」を選択する。これにより、画像処理回路３が記憶する画像に基づいてコードの種類を判別し、判別結果に基づいたデコードソフトによりコードをデコードする。
【００３９】
デコードするコードの種類を予め設定しておきたい場合には、「Ｔｒｉｇｇｅｒ」を選択した後、図５（ｇ）の読み取りコードの選択画面を表示させ、ここで所望するコードを選択するようにすることができる。この選択を用いれば、読み取るコードの種類を、第１及び第２のダブルアクションキー１８及び１９の半押し及び全押しの組み合わせに対し、図４のように、Ｃｏａｄ３９、ＱＲコード、ＰＯＳコードに設定できる。
【００４０】
第２のダブルアクションキー１９の半押しと全押しとにマーカ用レーザ８の点灯及びコード読み取りを割り当てる場合には、簡易な設定方法が容易されている。この設定方法を図６により説明する。なお、図６では説明の簡単化のために図４（ｃ）で示した第１のダブルアクションキー１８を操作しない状態で第２のダブルアクションキー１９を半押し及び全押ししたとき、マーカ用レーザ８の点灯とＰＯＳコード読み取りとが割り当てられるようにしたものである。
【００４１】
まず、液晶表示部１１に図６（ａ）のメニュー画面を表示し、この表示画面で４番目の「ＳＥＴ  ＳＹＳＴＥＭ」を選択し、次の図６（ｂ）の画面で３番目の「ＫＥＹ」を選択する。続いて図６（ｃ）の画面で第２のダブルアクションキー１９の半押しを示す４番目の「Ｄ２Ｈ」を選択し、次の図６（ｄ）の画面でコード読み取りを行う動作の準備動作に相当する８番目の「Ｌａｓｅｒ  Ｍａｒｋｅｒ」を選択する。
【００４２】
マーカ用レーザ８を点灯させる動作は、次の照明用ＬＥＤ９を点灯させてコードを読み取る動作（目的動作）の準備段階に相当する動作（準備動作）であるから、機能割り当て手段に相当する制御回路１は、「Ｌａｓｅｒ  Ｍａｒｋｅｒ」が選択されたら、次はコード読み取りの開始機能が選択されるであろうと判断し、図６（ｅ）に示すように、液晶表示画面１１にこれを意味する「Ａｕｔｏｓｅｔ  Ｔｏ  Ｄ２：Ｔｒｉｇｇｅｒ  Ｋｅｙ  ＯＫ  １：ＹＥＳ  ２：ＮＯ」とコード読み取り開始動作の選択を推奨するような表示がなされる。
【００４３】
そこで、「１：ＹＥＳ」を選択すると、第２のダブルアクションキー１９の全押しに対してコードの読み取り開始機能が自動的に割り当てられ、この結果、第２のダブルアクションキー１９を半押しすると、マーカ用レーザ８が点灯し、次に第２のダブルアクションキー１９を全押しすると、照明用ＬＥＤ９が点灯してコードの読み取りを開始するように機能が割り当てられる。この場合も、読み取るコードの種類を予め設定して起きたい場合には、図６（ｆ）の画面を表示させて、コードの種類を選択するようにしても良い。なお、図５（ｇ）、図６（ｆ）において、１番目の「Ａｌｌ  Ｃｏａｄｓ」はコードの種類を予め設定せず、画像処理回路３に記憶された画像からコードの種類を判別しデコードする形態を示す。
【００４４】
このように、第２のダブルアクションキー１９の半押しに対して或る動作が割り当てられたとき、その動作が或る目的動作の準備動作に相当する動作であるとき、第２のダブルアクションキー１９の全押しに目的動作が推奨されて、その推奨に対して応答をするだけで自動的に目的動作が割り当てられるので、機能の選択操作が非常に行い易くなる。
【００４５】
ちなみに、図４（ａ）及び（ｂ）に示すように第１のダブルアクションキー１８の半押し又は全押し状態で第１のダブルアクションキー１９を半押し及び全押ししたとき、マーカ用レーザ８の点灯してＣｏｄｅ３９の読み取り又はＱＲコードの読み取りが行われるようにするには、図５（ａ）〜（ｆ）の画面を順に表示させる。そして、図５（ｆ）に相当する場面で７番目の「Ｔｒｉｇｇｅｒ」を選択する。すると、次に図６（ｅ）に相当する画面が表れるので、ここで「１：ＹＥＳ」を選択すれば良い。そして、デコードするコードを予め設定しておきたい場合には、図６（ｆ）で示す画面を表示させて所望のコードを選択すれば良い。
【００４６】
次に、図６に示す手順によって第２のダブルアクションキー１９の半押しにマーカ用レーザ８の点灯を割り当て、全押しにコード読み取りを割り当てた後、その第２のダブルアクションキー１９の半押し又は全押しを別の機能、例えば全押しをＬＣＤ用バックライト１２の点灯に変更する場合の手順を図７により説明する。
【００４７】
即ち、図７（ａ）に示すメニュー選択画面を表示させ、４番目の「ＳＥＴ  ＳＹＳＴＥＭ」を選択する。そして、次に表示される図７（ｂ）の画面で３番目の「ＫＥＹ」を選択し、続いて表示される図７（ｃ）の画面で３番目の第２のダブルアクションキー１９の全押しを示す「Ｄ２」を選択する。
【００４８】
すると、今まで、第２のダブルアクションキー１９の全押しに対しては、半押しの機能を準備動作とする目的動作に相当する機能が自動的に割り振られていたので、それを解除してよいかを問うための画面が図７（ｄ）のように表示される。そこで、この画面で「１：ＹＥＳ」を選択する。これにより、図７（ｅ）の画面が表れるので、５番目の「ＬＣＤ  Ｂａｃｋｌｉｇｈｔ」を選択する。これにより、第２のダブルアクションキー１９の半押しにマーカ用レーザ８の点灯が割り当てられ、全押しにＬＣＤバックライト１２の点灯が割り当てられる。
【００４９】
このようなことは、第２のダブルアクションキー１９の半押しの機能（マーカ用レーザ８の点灯）を別の機能に変更する場合も同様に行うことができ、この場合にも、第２のダブルアクションキー１９の全押しのコード読み取り機能は何等の影響を受けない。もちろん、第１のダブルアクションキー１８の半押し又は全押し状態で、第２のダブルアクションキー１９が半押しされたときの機能と全押しされた時の機能が準備動作と目的動作の関係にあった場合も、第２のダブルアクションキー１９の半押しの機能及び全押しの機能の打ち、一方の機能を他方の機能に対して何等の影響を与えないで別の機能に変更することが可能である。
【００５０】
図８は本発明の他の実施例を示す。この実施例では、ＢＨＴの手持部２８をガングリップ型としたもので、この手持部２８の上部に設けられた頭部２９の左右両側に第１及び第２のダブルアクションキー１８及び１９が配設されている。また、前述の一実施例における第１及び第２のＭキー１６及び１７は手持部２８の前側に上下に設けられている。なお、液晶表示画面１１及び他のキー１４，１５，２０は頭部２９の上面に配設されている。
【００５１】
この実施例では、手持部２８を片方の手に握り持つ。すると、第１及び第２のダブルアクションキー１８及び１９を親指と人差し指の２本の指で操作できる。特に、本実施例の場合には、第１及び第２のダブルアクションキー１８及び１９が手持部２８ではなく、頭部２９の左右両側に配設されているので、手持部２８を握り持ったときに不用意に押圧してしまうことがない。
【００５２】
なお、本発明は上記し且つ図面に示す実施例に限定されるものではなく、以下のような拡張或は変更が可能である。
第１及び第２のＭキー１６及び１７を第１及び第２のダブルアクションキー１８及び１９と同様に機能させても良い。この場合、図１に示すように、キー群２１を配置した面が正面となるように手持部２６を手に保持したとき、第１及び第２のＭキー１６及び１７がその一面の上方部に並んで設けられた状態になれば、両Ｍキー１６及び１７を人差し指と親指などで操作できる。また、図８のように両Ｍキー１６及び１７が上下に配置されていれば、手持部２６を手に持った状態で人差し指と中指などで操作できる。
上述の一実施例で説明した第１及び第２のダブルアクションキー１８及び１９の半押し及び全押しを組み合わせて得られる機能は、第１及び第２のダブルアクションキー１８及び１９と第１及び第２のＭキー１６及び１７の４つのダブルアクションキーのいずれか２つを組み合わせて果たすように構成しても良い。
目的動作とその準備動作との関係は、コード読み取りに対するマーカ用レーザ８の点灯の関係に限られず、図９に示すような関係、つまり選択したメニューの実行に対する準備動作としてタブキーとしての機能、アプリケーションでの文字入力に対する準備動作としてシフトキーの機能、アプリケーションでのショートカット起動に対する準備動作としてコントロールキーとしての機能、エクスプローラからのプログラム起動においてエンターキーの機能に対するタブキーの機能、エクスプローラでのファイル編集においてペースト機能に対するコピー又はカット機能など種々考えられる。
第１のＭキー１６、第２のＭきー１７を第１のダブルアクションキー１８及び第２のダブルアクションキー１９と同様に機能させることもできる。
携帯端末装置としては、バーコード読取装置に限られず、ＰＤＡ（Ｐｅｒｓｏｎａｌ  ｄｉｊｉｔａｌ  ａｓｓｉｓｔａｎｔｓ）、携帯電話機などであっても良い。
【図面の簡単な説明】
【図１】本発明の一実施例を示すＢＨＴの平面図
【図２】同斜視図
【図３】同電気的構成のブロック図
【図４】ダブルアクションキーの操作に割り当てられた機能を示す図
【図５】ダブルアクションキーの操作に機能を割り当てる場合の手順を示す図その１
【図６】ダブルアクションキーの操作に機能を割り当てる場合の手順を示す図その２
【図７】ダブルアクションキーの操作に機能を割り当てる場合の手順を示す図その３
【図８】本発明の他の実施例を示す図２相当図
【図９】目的動作と準備動作の関係の他の例を示す図
【符号の説明】
図中、１は制御回路、４は液晶表示器、６はキー入力装置、８はマーカ用レーザ、９は照明用ＬＥＤ、１１は液晶表示画面、１８，１９は第１，第２のダブルアクションキー、２４は本体、２６は手持部、２７は読取口、２８は手持部を示す。
【図１】
2004326545.tif 000003
【図２】
2004326545.tif 000004
【図３】
2004326545.tif 000005
【図４】
2004326545.tif 000006
【図５】
2004326545.tif 000007
【図６】
2004326545.tif 000008
【図７】
2004326545.tif 000009
【図８】
2004326545.tif 000010
【図９】
2004326545.tif 000011